(57)【特許請求の範囲】
【請求項１】
冷蔵室の下部に配された隔離室内に前後方向へ移動可能な上下に二段の上ケース及び下ケースを設け、前記下ケースが前記上ケースの底面外側に臨んで開口するとともに、前記下ケース内の温度を前記上ケース内の温度よりも低い温度にし、
前記冷蔵室の後方下方に設けられた冷気分配室から前記冷蔵室背面を上方に延びた冷蔵室冷気分配通路と、前記隔離室に形成されるとともに前記上ケース及び前記下ケースにそれぞれ冷気を吹出す上ケース冷気吹出口及び下ケース冷気吹出口とを備え、前記冷気分配室から流出した直後の冷気を前記下ケース冷気吹出口から吹出し、前記下ケース冷気吹出口から前記冷蔵室冷気分配通路を上方に流通した後の冷気を前記上ケース冷気吹出口から吹出したことを特徴とする冷蔵庫。
【請求項２】
前記冷蔵室冷気分配通路は、前記冷蔵室背面の中央部を上方に延び、前記冷蔵室上部で屈曲して前記冷蔵室背面の両側部を下方に延びることを特徴とする請求項１に記載の冷蔵庫。
【請求項３】
前記上ケースの底面外側を前面仕切部よりも上方に配置するとともに前記下ケース冷気吹出口を前記冷気分配室の近傍に設け、前記上ケース冷気吹出口を前記下ケース冷気吹出口よりも後方に配置したことを特徴とする請求項１または請求項２に記載の冷蔵庫。
【請求項４】
前記下ケース冷気吹出口は左右に冷気を拡散するための冷気ガイドを有することを特徴とする請求項１〜請求項３のいずれかに記載の冷蔵庫。
【請求項５】
前記冷気ガイドは前記隔離室背面側を断熱する通路断熱に傾斜して形成されたダクト部から成ることを特徴とする請求項４に記載の冷蔵庫。
【請求項６】
前記下ケースの底面外側を前面仕切部上面よりも下方に配置し、前記下ケースの側面上端の一部に前記下ケースの前方上端よりも低い面を有する凹部を設けたことを特徴とする請求項１〜請求項５のいずれかに記載の冷蔵庫。
【発明の詳細な説明】
【０００１】
【発明の属する技術分野】
本発明は、冷蔵室の下部に隔離室を持つ冷蔵庫に関するものである。
【０００２】
【従来の技術】
従来のこの種の冷蔵庫は、特許第２６９８５６６号公報に開示されているように、冷蔵室の下部に隔離室（貯蔵室）を構成するケース（収納容器）を設けてなるものがあり、また、特開平２−２４２０６２号公報に開示されているように、一つの独立室（チルド室）内にケース（チルドケース）を縦に複数個配設してなるものもある。
【０００３】
【発明が解決しようとする課題】
上記のような従来の冷蔵庫では、特許第２６９８５６６号公報に開示のものにあっては、冷蔵室の下部に設けた隔離室内のケースが単独であるため、ケース内温度も設定された値のみに限られ、また、特開平２−２４２０６２号公報に開示のものにあっては、複数個のケース（チルドケース）内に送り込まれる各々の冷気は温度調節器にてコントロールされたチルド食品を保存するための同一温度の冷気であり、ケース内に貯蔵される多種の貯蔵物に対して、必ずしも適当な温度での貯蔵ができないという課題がある。また、特に魚などの臭いの強い生鮮食品を同時に貯蔵すると、隔離室内のケースが単独である場合、その臭いが同じケース内の他の貯蔵物に移ってしまうという課題もある。さらに、ケースを複数個設けたものであっても、上段のケースに臭いの強い生鮮食品等を貯蔵した場合、冷気がケース側壁の外側を通り下段に下りるため、その臭いが他の貯蔵物に移ってしまうという課題もある。
【０００４】
【課題を解決するための手段】
本発明の冷蔵庫は上記のような課題を解決したもので、冷蔵室の下部に配された隔離室内に前後方向へ移動可能な上下に二段の上ケース及び下ケースを設け、前記下ケースが前記上ケースの底面外側に臨んで開口するとともに、前記下ケース内の温度を前記上ケース内の温度よりも低い温度にしたことを特徴としている。この構成によると、隔離室内の上下２段のケース内温度が異なる温度帯に保たれ、所定の温度で保存する貯蔵物を収納するためのケースと、それよりさらに低温で保存する貯蔵物を収納するためのケースとが隔離室内に得られるため、簡単な構造で貯蔵物の臭いが隔離室以外の他の貯蔵物に移りにくく乾燥のしにくい、新鮮な魚や肉等の鮮度の落ちにくい、さらには、各々の貯蔵物にいっそう適した温度帯をもつ、きめ細かな貯蔵物の保存が可能となる冷蔵庫が得られる。
【０００５】
また、ケース内の冷気の一部がケースの側面外側と隔離室側壁との間を上方から下方へケース内の臭いとともに流れても、温度の低い下ケースに特に魚などの臭いの強い生鮮食品を収納したとき、その魚などの強い臭いは上方へは流れにくく、上ケース内の貯蔵物へ上記下ケース内の貯蔵物の強い臭いが移りにくい隔離室をもつ冷蔵庫が得られる。
【０００６】
また本発明は上記構成の冷蔵庫において、前記冷蔵室の後方下方に設けられた冷気分配室から前記冷蔵室背面を上方に延びた冷蔵室冷気分配通路と、前記隔離室に形成されるとともに前記上ケース及び前記下ケースにそれぞれ冷気を吹出す上ケース冷気吹出口及び下ケース冷気吹出口とを備え、前記冷気分配室から流出した直後の冷気を前記下ケース冷気吹出口から吹出し、前記冷蔵室冷気分配通路を流通した後の冷気を前記上ケース冷気吹出口から吹出したことを特徴としている。この構成によると、下ケース冷気吐き出し口からは冷気分配室から出た直後の低温の冷気が下ケース内へ吐き出され下ケース内温度を低温に保ち、また、上ケース冷気吐き出し口からは冷気分配室から出た後、冷蔵室に設けられた冷蔵室冷気分配通路を通ったことにより、冷蔵室内の熱を吸収し少し温度の上昇した冷気が上ケース内へ適度に吐き出されるため、下ケース内温度は簡単な構造で効率よく上ケース内温度よりも更に低く保つことができる隔離室をもつ冷蔵庫が得られる。
また本発明は上記構成の冷蔵庫において、前記冷蔵室冷気分配通路は、前記冷蔵室背面の中央部を上方に延び、前記冷蔵室上部で屈曲して前記冷蔵室背面の両側部を下方に延びることを特徴としている。
【０００７】
また本発明は上記構成の冷蔵庫において、前記上ケースの底面外側を前面仕切部よりも上方に配置するとともに前記下ケース冷気吹出口を前記冷気分配室の近傍に設け、前記上ケース冷気吹出口を前記下ケース冷気吹出口よりも後方に配置したことを特徴としている。この構成によると、上ケースの底面外側は前面仕切部より上方にあり、上ケース吐き出し口は下ケース吐き出し口より後方にあるため、ケースの隔離室からの取り出しに関係なく上ケースの背面壁は下ケースの背面壁より後方に設けられ、ケースの隔離室からの取り出しが可能で、ケースの収納容積が増した上ケースを隔離室にもつ冷蔵庫が得られる。
【０００８】
また本発明は上記構成の冷蔵庫において、前記下ケース冷気吹出口は左右に冷気を拡散するための冷気ガイドを有することを特徴としている。この構成によると、冷気分配室の近くに設けられた略中央にある下ケース冷気吐き出し口から、左右方向に冷気が拡散されて下ケース内へ送り込まれるようになり、巾広い下ケース内にある貯蔵物を効率よく低温で均一に冷却できる隔離室をもつ冷蔵庫が得られる。
【０００９】
また本発明は上記構成の冷蔵庫において、前記冷気ガイドは前記隔離室背面側を断熱する通路断熱に傾斜して形成されたダクト部から成ることを特徴としている。この構成によると、隔離室内に飛び出した余分に場所を取る冷気ガイドを設けなくても、下ケース内へ均一に冷気を送り込むことができ、下ケースの容積が大きくとれ、容積効率のよい下ケースの貯蔵物を均一に冷却できる隔離室をもつ冷蔵庫が得られる。
【００１０】
また本発明は上記構成の冷蔵庫において、前記下ケースの底面外側を前面仕切部上面よりも下方に配置し、前記下ケースの側面上端の一部に前記下ケースの前方上端よりも低い面を有する凹部を設けたことを特徴としている。この構成によると、上ケースの底面外側と下ケースの上端との間の隙間が少なくでき容積効率がよくなり、貯蔵物を多量に収納できるとともに、凹部からも冷気が下ケースの側面外側へ流れ出やすくなるため、隙間を少なくしたことによる流量抵抗の増大がこの部で減少し冷気流量が増し、効率よくよりいっそう低温に貯蔵物を冷却できる隔離室をもつ冷蔵庫が得られる。
【００１１】
【発明の実施の形態】
以下、本発明の冷蔵庫の実施の形態を図面とともに説明する。
【００１２】
図１は本発明による冷蔵庫の本体の側面から見た要部断面図、図２は冷気分配器からでた冷気を隔離室および冷蔵室に導く冷蔵室冷気分配通路をもつ冷蔵室通路組品付近の正面図、図３は図２に示す下ケース吐き出し口付近のＡ−Ａ線の要部断面図、図４は上ケースを前方へ引き出したときの要部断面図、図５は下ケースを前方へ引き出したときの要部断面図である。
【００１３】
図１において、１は冷蔵庫本体、２は冷蔵室、３は野菜室、４は前記冷蔵室２の下部に設けられた隔離室、５は上記冷蔵室２と野菜室３との間に設けた仕切部である。６は前面仕切部、７は隔離室４の上部に納まる上ケースである。８は上記上ケース７の側面外側に設けられた上ケースガイドであり点線で描いている。９ａおよび９ｂは、隔離室側壁９に各々設けられた側壁ガイドで、上ケースガイド８を上下より挟み込んでおり、９ａは上部側壁ガイドウエ、９ｂは上部側壁ガイドシタで、各々を２点鎖線で描いている。
【００１４】
なお、上ケースガイド８，上部側壁ガイドウエ９ａ，上部側壁ガイドシタ９ｂは上ケース７を前後方向に移動可能にし、その動きを導いている。また、上ケースガイド８の下面前方には上ケース７が隔離室４へ収納されるとき、収納完了直前に自動的に上ケース７の自重で収納できるよう、上ケースガイド傾斜面８ａを設けている。
【００１５】
また、１０は隔離室４の下部に納まる下ケースである。１１は前記下ケース１０の側面外側に設けられた下ケースガイドであり点線で描いている。９ｃおよび９ｄは、隔離室側壁９に各々設けられた側壁ガイドで、下ケースガイド１１を上下より挟み込んでおり、９ｃは下部側壁ガイドウエ、９ｄは下部側壁ガイドシタで各々を２点鎖線で描いている。
【００１６】
なお、下ケースガイド１１，下部側壁ガイドウエ９ｃ，下部側壁ガイドシタ９ｄは下ケース１０を前後方向に移動可能にし、その動きを導いている。また、下ケースガイド１１の下面前方には下ケース１０が隔離室４へ収納されるとき、収納完了直前に自動的に下ケース１０の自重で収納できるよう、下ケースガイド傾斜面１１ａを設けている。
【００１７】
１２は隔離室４の天井の働きをするケース棚で、１３は上ケース７内に冷気を吐き出すための上ケース冷気吐き出し口、１４は下ケース１０内に冷気を吐き出すための下ケース冷気吐き出し口である。なお、本図では上ケース冷気吐き出し口１３および下ケース冷気吐き出し口１４を同一断面図にあらわすため、上ケース冷気吐き出し口１３および下ケース冷気吐き出し口１４を通る位置で切断して描いている。
【００１８】
１５はダンパー１５ａを備えた冷気分配室で本図ではダンパー１５ａは分配室入り口１５ｂを閉じた状態を表わしている。なお、ダンパー１５ａの点線部分はダンパー１５ａが開いたときの状態を表している。１６は冷気分配室１５から吐き出された冷気を冷蔵室２および隔離室４に送るための冷蔵室冷気分配通路１６ａと断熱のための通路断熱１６ｂと保護カバーの通路カバー１６ｃをもつ冷蔵室通路組品で、上ケース冷気吐き出し口１３、下ケース冷気吐き出し口１４、および冷蔵室冷気吐き出し口１７をもっている。
【００１９】
なお、１８は冷蔵室扉であり、冷蔵室扉１８の扉背面部にドアポケット１９・２０をもっている。２１は野菜室扉、２２は野菜ケースでドアアングル（図示せず）にて野菜室扉２１に取り付けられている。２３は小物ケースで、野菜ケース２２の上部に取り付けられている。
【００２０】
２４は野菜室カバーで、野菜ケース２２および小物ケース２３の上方に位置し、野菜ケース２２および小物ケース２３を所定の湿度に保つように配慮されている。なお、２５は冷却器、２６はファン２７をもつ送風機組品で、２８は冷気分配室１５に通じる圧力室である。
【００２１】
そして、冷却器２５で冷却された冷気は、送風機２６のファン２７で圧力室２８に送られる。その後、圧力室２８から冷凍室（図示せず）に冷気が送り込まれる。また、冷蔵室２に設けられた温度感知部（図示せず）にて冷蔵室２の室温を感知し、室温が所定の温度より高くなったとき冷気分配室１５のダンパー１５ａが開き、圧力室２８から分配室入り口１５ｂを通り冷気分配室１５へ入った冷気は冷蔵室冷気分配通路１６ａへ送られる。
【００２２】
その後、冷気は冷蔵室冷気分配通路１６ａの冷気分配室１５に近い位置に設けられた下ケース冷気吐き出し口１４を通り下ケース１０へ送られるとともに、冷蔵室冷気分配通路１６ａを通りながら複数個の冷蔵室冷気吐き出し口１７から冷蔵室２に吐き出され、残りの冷気は上ケース冷気吐き出し口１３から上ケース７に送り込まれる。
【００２３】
上ケース７に送り込まれた冷気は上ケース７内の貯蔵物を冷却し、その前方上端７ａとケース棚１２との間の隙間７ｂから冷蔵室２へ流れ出す。その後、隙間７ｂから流れ出た冷気は冷蔵室２の上方から降りて来る比較的暖かい冷気と混ざり合い下方へ降りて行く。
【００２４】
このとき、上ケース７へ送り込まれる冷気（例えば冷気温度＝１℃）は、冷蔵室冷気分配通路１６ａを通った後に上ケース冷気吐き出し口１３から吐き出されるため、冷蔵室冷気分配通路１６ａを通っている間に冷蔵室２内の熱の一部を冷気が吸収するので、冷蔵室２内の温度（例えば３℃）よりは低いが、下ケース１０へ送り込まれる冷気（例えば冷気温度＝−１℃）である冷気分配室１５から冷蔵室冷気分配通路１６ａに送り込まれた直後の冷気よりは高くなっている。
【００２５】
また、上ケース冷気吐き出し口１３から上ケース７に送り込まれる冷気の量を、上ケース７内の温度が冷蔵室２より低い温度に保たれるように、各々の吐き出し口の開口面積等で冷気吐出量は調整されている。
【００２６】
下ケース１０に送り込まれた冷気は下ケース１０内の貯蔵物を冷却し、その前方上端１０ａと上ケース７の底面外側との間の隙間１０ｂから冷蔵室２へ流れ出す。その後、上ケース７の前方から降りて来る比較的暖かい冷気と混ざり合い、下ケース１０の底面外側と仕切部５の間の空間を通り、仕切部５の一部に設けられた仕切開口部５ａを通って野菜室３に流れ込む。
【００２７】
下ケース１０へは冷気分配室１５から流れ出た直後の外部からの熱の吸収の少ない冷気が下ケース冷気吐き出し口１４を通り適量流れ込むため上ケース７より低い温度に効率よく保たれ、上ケース７内温度と下ケース１０内温度は互いに異なる温度帯（例えば  上ケース７内温度＝２±１℃  下ケース１０内温度＝０±１℃）になる。
上ケース７および下ケース１０に送り込まれた冷気の一部は、ケースの側面上端から漏れ出して、各々のケースの側面外側と隔離室側壁９との間を上方から下方へケース内の臭いとともに流れる。このとき、上ケース７より下ケース１０の冷気の温度が低いため、各々のケースの側面外側と隔離室側壁９との間の冷気流は上方へ逆向することなく下ケース１０の底面外側と仕切部５との間に流れ込む。そのため、上ケース７より温度の低い下ケース１０に臭いの強い魚などの生鮮食品を収納したとき、その魚などの強い臭いは上方へは逆行しにくく、上ケース７への下ケース１０の強い臭いが移りにくいことになる。
【００２８】
野菜室３に流れ込んだ冷気は仕切部５と野菜室カバー２４で形成された冷気通路を通り、野菜ケース２２と野菜室扉２１の扉背面との間を通った後、野菜ケース２２の底面外側へ達する。その後冷気は野菜ケース２２の底面外側を通り野菜室３からダクト（図示せず）にて冷却器２５の下方へ戻る。なお、図中矢印は冷気の流れをあらわす。
【００２９】
室内温度にあまり差のない冷蔵室２と野菜室３が上下に隣り合って設けられているため、仕切部５の断熱層の厚さは薄くてもよく、室内容積の有効利用のため仕切部５は上に凹の形状にしてその凹部に下ケース１０が入り込み、下ケース１０の底面外側は前面仕切部６の上面より下方に位置している。また、上ケース７の底面外側は下ケース１０の高さ確保のため前面仕切部６より上方になるように設けている。
【００３０】
冷気分配室１５はダンパー１５ａの大きさの関係から、左右方向の巾はあまり大きくとれず、通風面積を確保するため前後方向で大きく巾を取っている。そのため、冷気分配室１５から冷蔵室冷気分配通路１６ａへ通じる冷気通路も通風効率を下げないために、前後方向で同様の巾を取る必要があり、さらには、冷気分配室１５に近い下ケース冷気吐き出し口１４も同様に冷気通路を確保するため、前方へ出た所に位置することになる。
【００３１】
上ケース冷気吐き出し口１３は冷気分配室１５から離れた所の冷蔵室冷気分配通路１６ａにあり、その付近の冷蔵室冷気分配通路１６ａは左右方向の通路巾が大きくとれ、前後方向には巾が少なくてもよい。そのため、上ケース冷気吐き出し口１３の前後方向の位置は下ケース冷気吐き出し口１４の位置より後方に設けることができる。
【００３２】
また、上ケース７の底面外側は前面仕切部６より上方にあるため、上ケース７の隔離室４からの取り出しに関係なく上ケース７の背面壁７ｂは下ケース１０の背面壁１０ｂより後方に設けることができる。これらのため、上ケース７の隔離室４からの取り出しが可能でケースの収納容積の増した上ケース７が得られることになる。
【００３３】
なお、上記左右方向とは、冷蔵庫を正面から見て左右の方向を意味し、前後方向とは、冷蔵庫を正面から見て前後の方向を意味する。
【００３４】
図２において、冷気分配室１５から冷蔵室冷気分配通路１６ａ（点線にて表示）の下方に送られた冷気は送風機２６のファン２７によって生じた圧力により左右の２つの通路に分かれ冷蔵室冷気分配通路１６ａ内を上方に押し上げられる。その後、左右の２つの通路を冷蔵室２の上端近くまで押し上げられた冷気は左右に反転する通路に導かれ冷蔵室冷気分配通路１６ａ内を通り冷蔵室２の下方に下がり冷蔵室冷気分配通路１６ａの最後にある上ケース冷気吐き出し口１３まで冷気は降りてくる。
【００３５】
この間、冷気はその一部を下ケース冷気吐き出し口１４から下ケース１０へ送り出され、各々の冷蔵室冷気吐き出し口１７から冷蔵室２へ送り出された後、残りの冷気は上ケース冷気吐き出し口１３から上ケース７へ送り出される。なお、図中矢印は冷気の流れをあらわす。
【００３６】
通路カバー１６ｃの冷蔵室冷気吐き出し口１７に相当する開口部は内部に貯蔵物等が入り込まないようにスリット状にしてある。また、１６ｃには冷蔵室２内の室温を感知する温度感知部２９が設けられており、その上方の冷蔵室冷気吐き出し口１７からの冷気が温度感知部２９に直接当たらないようにリブ状のひさし３０が設けられている。また、３１はランプカバーで、その裏側には冷蔵室２内を照らすランプ（図示せず）が設けられている。
【００３７】
図３において、下ケース１０へは冷気分配室１５から流れ出た直後の冷気が下ケース冷気吐き出し口１４から適量流れ込むようになっているため、冷蔵室冷気分配通路１６ａの左右方向の巾は冷気分配室１５のダンパー１５ａの大きさの関係からあまり広くできず、また、下ケース冷気吐き出し口１４は左右方向の略中央の限られた位置に設けることになる。
【００３８】
そのため、巾の広い下ケース１０内へ均一に冷気を送り込むように、通路断熱１６ｂの下ケース冷気吐き出し口１４を左右２個所に設け通路断熱１６ｂの下ケース冷気吐き出し口１４を冷気が通過中に左右に広がるように、冷気ガイドとして下ケース冷気吐き出し口１４のダクト部１４ａを左右方向に斜めに傾けている。こうすることにより、通路カバー１６ｃの前方に隔離室４側へ突き出て左右に傾斜した余分に場所を取る傾斜グリルを設けなくても、簡単な構造で下ケース１０内へ均一に冷気を送り込むことが可能となり、下ケース１０内の貯蔵物を効率よく冷却できる。なお、図中矢印は冷気の流れをあらわす。
【００３９】
なお、ダクト部１４ａの通路は、開口面積を充分取れるのであれば、ダクトの内部に冷気ガイドのための風向板を設けると、いっそう効率よく冷気を案内できることは明白である。
【００４０】
図４において、上ケース７の前方に位置する上ケース取っ手部７ｃを下方から指をかけ、上ケースガイド８の上ガイド下部突起部８ｂが、上部側壁ガイドシタ９ｂの上ガイドシタ上部突起部９ｃに当たるまで、前方に引き出される。通常はこの状態で上ケース７の中にある貯蔵物の出し入れが行われる。
【００４１】
上ケース７の底面外側は前面仕切部６より上方にあるため、上ケース７の隔離室４からの取り出しは、前面仕切部６に関係なく上ケース取っ手部７ｃを下方から指をかけ上ガイド下部突起部８ｂが上ガイドシタ上部突起部９ｃを乗り越すように上方に引き上げながら手前に引き出すことにより可能となる。このとき、上ケース７の側面上端７ｄがケース棚１２に当たらないように部分的に低くしてある。
【００４２】
図５において、下ケース１０の前方に位置する下ケース取っ手部１０ｃを上方から指をかけ、下ケースガイド１１の下ガイド下部突起部１１ｂが、下部側壁ガイドシタ９ｄの下ガイドシタ上部突起部９ｅに当たるまで、前方に引き出される。通常はこの状態で下ケース１０の中にある貯蔵物の出し入れが行われる。
【００４３】
下ケース１０の底面外側は前面仕切部６の上面より下方にあるため、下ケース１０の隔離室４からの取り出しは、下ケース取っ手部１０ｃを下方から指をかけ下ガイド下部突起部１１ｂが下ガイドシタ上部突起部９ｅを乗り越すように上方に引き上げながら手前に引き出すことにより可能となる。
【００４４】
このとき、下ケース１０の底面外側の前端は、仕切部５の上面に当たらない位置となっており、また、下ケース１０の側面上端１０ｄの一部に上ケース７が当たらないよう部分的に低い凹部１０ｅが設けられている。なお、下ケース取っ手部１０ｃを上方に引き上げたときの図を点線で描いている。
【００４５】
前記凹部１０ｅが下ケース１０に設けられているため、上ケース７と下ケース１０との間の隙間が少なくでき収納容積の効率がよくなり、貯蔵物を多量に収納でき、凹部１０ｅからも冷気が下ケース１０の側面外側へ流れでやすくなるため、この付近の流量抵抗が減少し冷気流が増し、下ケース１０は効率よくよりいっそう低温に貯蔵物を冷却できるようになる。
【００４６】
なお、上ケース７と下ケース１０との間の隙間が少ないとき、下ケース１０内の冷却状態の悪い付近の前方上端１０ａや側面上端１０ｄに貯蔵物がはみ出さない程度の巾の凹部を設けることにより、その付近の冷気流を多くし冷却状態が改善でき、また、流量抵抗が減少し送風効率が上がることは明白である。
【００４７】
【発明の効果】
本発明は、冷蔵室の下部に配された隔離室内に前後方向へ移動可能な上下に二段の上ケース及び下ケースを設け、下ケース内の温度を上ケース内の温度よりも低い温度にしたので、簡単な構造で貯蔵物の臭いが隔離室以外の他の貯蔵物に移りにくく乾燥のしにくい、新鮮な魚や肉等の鮮度の落ちにくい、さらには、各々の貯蔵物にいっそう適した温度帯をもつ、きめ細かな貯蔵物の保存が可能となる冷蔵庫が得られる。
【００４８】
また、温度の低い下ケースに特に魚などの臭いの強い生鮮食品を収納したとき、上ケース内の貯蔵物へ下ケース内の貯蔵物の強い臭いが移りにくい隔離室をもつ冷蔵庫が得られる。
【００４９】
また本発明によると、冷気分配室から流出した直後の冷気を下ケース冷気吹出口から吹出し、冷蔵室冷気分配通路を流通した後の冷気を上ケース冷気吹出口から吹出したので、下ケース内温度は簡単な構造で効率よく上ケース内温度よりも更に低く保つことができる隔離室をもつ冷蔵庫が得られる。
【００５０】
また本発明によると、上ケースの底面外側を前面仕切部よりも上方に配置するとともに下ケース冷気吹出口を前記冷気分配室の近傍に設け、上ケース冷気吹出口を下ケース冷気吹出口よりも後方に配置したので、ケースの隔離室からの取り出しに関係なく上ケースの背面壁は下ケースの背面壁より後方に設けられ、ケースの隔離室からの取り出しが可能で、ケースの収納容積が増した上ケースを隔離室にもつ冷蔵庫が得られる。
【００５１】
また本発明によると、下ケース冷気吹出口は左右に冷気を拡散するための冷気ガイドを有するので、冷気分配室の近くに設けられた略中央にある下ケース冷気吐き出し口から、左右方向に冷気が拡散されて下ケース内へ送り込まれるようになり、巾広い下ケース内にある貯蔵物を効率よく低温で均一に冷却できる隔離室をもつ冷蔵庫が得られる。
【００５２】
また本発明によると、冷気ガイドは通路断熱に形成されたダクト部から成るので、隔離室内に飛び出した余分に場所を取る冷気ガイドを設けなくても、下ケース内へ均一に冷気を送り込むことができ、下ケースの容積が大きくとれ、容積効率のよい下ケースの貯蔵物を均一に冷却できる隔離室をもつ冷蔵庫が得られる。
【００５３】
また本発明によると、下ケースの底面外側を前面仕切部上面よりも下方に配置し、ケースの側面上端の一部に下ケースの前方上端よりも低い面を有する凹部を設けたので、上ケースの底面外側と下ケースの上端との間の隙間が少なくでき容積効率がよくなり、貯蔵物を多量に収納できるとともに、凹部からも冷気が下ケースの側面外側へ流れ出やすくなるため、隙間を少なくしたことによる流量抵抗の増大がこの部で減少し冷気流量が増し、効率よくよりいっそう低温に貯蔵物を冷却できる隔離室をもつ冷蔵庫が得られる。
【図面の簡単な説明】
【図１】本発明の冷蔵庫の実施の形態を示す本体の側面から見た要部断面図である。
【図２】本発明の冷蔵庫の実施の形態を示す冷気分配器からでた冷気を隔離室および冷蔵室に導く冷蔵室冷気分配通路をもつ冷蔵室通路組品付近の正面図である。
【図３】図２に示す下ケース吐き出し口付近のＡ−Ａ線の要部断面図である。
【図４】本発明の冷蔵庫の実施の形態を示す上ケースを前方へ引き出したときの要部断面図である。
【図５】本発明の冷蔵庫の実施の形態を示す下ケースを前方へ引き出したときの要部断面図である。
【符号の説明】
２  冷蔵室
４  隔離室
６  前面仕切部
７  上ケース
１０  下ケース
１０ｅ  凹部
１３  上ケース吐き出し口
１４  下ケース吐き出し口
１４ａ  ダクト部
１５  冷気分配室
１６ａ  冷蔵室冷気分配通路
１６ｂ  通路断熱
【図１】
0003571549.tif 000002
【図２】
0003571549.tif 000003
【図３】
0003571549.tif 000004
【図４】
0003571549.tif 000005
【図５】
0003571549.tif 000006